(57)【要約】【課題】吊り下げ具本体に対して工具類を収納するホルダー部を選択的に、しかも一体的に設ける点である。【解決手段】上部に腰ベルト２の第一の通し部３を横向きに設けた吊り下げ具本体４の外側に、工具５のホルダー部６を着脱自在に設ける。ホルダー部６に設けられた横向きな第二の通し部13を挿通可能な横向き部材12の第一の一側端17を吊り下げ具本体４側に接続すると共に、第一の他側端18を吊り下げ具本体４側に接続受け部材16を介して着脱自在に接続する。外側に設けられるホルダー部６を各種のものに交換でき、所望の工具５を適時吊り下げ具本体４に装着することができる。【選択図】図２
0003157429.tif 000002
【実用新案登録請求の範囲】
【請求項１】
上部に腰ベルトの第一の通し部を横向きに設けた吊り下げ具本体の外側に、工具類のホルダー部を着脱自在に設ける吊り下げ具であって、前記ホルダー部に設けられた横向きな第二の通し部を挿通可能な横向き部材の第一の一側端と第一の他側端を前記吊り下げ具本体側に接続すると共に、前記第一の一側端、前記第一の他側端の少なくとも一方を前記吊り下げ具本体側に着脱自在に接続したことを特徴とする腰ベルトの吊り下げ具。
【請求項２】
前記横向き部材は可撓性であって、前記吊り下げ具本体の左右の一側に設けられ、前記吊り下げ具本体の左右の他側に前記横向き部材と接続可能な接続受け部材を備え、前記吊り下げ具本体は、第一の一側端を前記吊り下げ具本体の左右の一側に接続すると共に第一の他側端を自由端に形成し、前記接続受け部材は、第二の他側端を前記吊り下げ具本体の他側に接続すると共に第二の一側端側に前記第一の他側端を接続可能な連結具を設けたことを特徴とする請求項１記載の腰ベルトの吊り下げ具。
【請求項３】
前記第二の一側端を前記吊り下げ具本体に接続すると共に、前記連結具を前記第二の一側端と前記第二の他側端との間に設けたことを特徴とする請求項２記載の腰ベルトの吊り下げ具。
【請求項４】
前記吊り下げ具本体には、収納部が設けられ、この収納部の外側に前記横向き部材を設け、前記横向き部材を縦断面が扁平縦長なベルト部材によって形成することを特徴とする請求項３記載の腰ベルトの吊り下げ具。
【請求項５】
前記連結具は、略矩形枠の両側に仕切り部を介して一側貫通部と他側貫通部を形成し、前記第二の一側端側を前記他側貫通部の裏側から前記仕切り部の表側を通して前記一側貫通部の裏側を通し、前記第一の他側端側を、前記第二の一側端側の表側に添わせて前記一側貫通部の裏側を通し、前記仕切り部の表側を通して前記他側貫通部の裏側を通すことを特徴とする請求項３又は４記載の腰ベルトの吊り下げ具。
【考案の詳細な説明】
【技術分野】
【０００１】
本考案は、腰ベルトの吊り下げ具に関するものである。
【背景技術】
【０００２】
従来、この種のものとして上部に腰ベルトが貫通する装着部の外側に工具専用のホルダー部が設けられており、ホルダー部は上部開口部を有しており、そして、作業者の腰ベルトを装着部に通してホルダー部を腰より吊り下げた状態で、ホルダー部には、カッター、ペンチやねじ回し等各種工具類を収納するものや、上部に腰ベルトが貫通する装着部の外側に工具の他にボルトやナットなどを区別して収納するホルダー部が設けられ、ボルトやナットなどのホルダー部は上部開口を有する矩形箱型であって、さらにその外側には上方を開口した工具を収納する収納ポケットが設けられており、そして、作業者の腰ベルトを装着部に通してホルダー部を腰より吊り下げた状態で、ホルダー部には各種工具類やボルトやナットを収納し、収納ポケットにはペンチやねじ回し等各種工具類を収納するものが知られている（例えば、特許文献１）。
【特許文献１】実用新案登録第３０９２２８０号公報
【考案の開示】
【考案が解決しようとする課題】
【０００３】
しかし、従来技術においては、各種工具類を収納する収納ポケットはホルダー部に固定されており、この結果特定の工具類を使用するたびにそれに対応した収納ポケットが設けられるようなことはなく、工具は大きさが合わないような収納ポケットに収納されていることによって、携帯時に工具が収納ポケットより離脱するおそれがある。
【０００４】
このような問題を解決するものとして、例えば特定の工具のホルダー部をボルトやナットなどのホルダー部に一緒に収納して携帯することが考えられるが、この場合は工具のホルダー部が移動途中等で抜け落ちてしまうおそれがある。
【０００５】
解決しようとする問題点は、上部に腰ベルトの通し部を横向きに設けた吊り下げ具本体に、工具類のホルダー部を着脱自在に設ける吊り下げ具において、吊り下げ具本体に対してホルダー部を選択的に、しかも一体的に設ける点である。
【課題を解決するための手段】
【０００６】
請求項１の考案は、上部に腰ベルトの第一の通し部を横向きに設けた吊り下げ具本体の外側に、工具類のホルダー部を着脱自在に設ける吊り下げ具であって、前記ホルダー部に設けられた横向きな第二の通し部を挿通可能な横向き部材の第一の一側端と第一の他側端を前記吊り下げ具本体側に接続すると共に、前記第一の一側端、前記第一の他側端の少なくとも一方を前記吊り下げ具本体側に着脱自在に接続したことを特徴とする腰ベルトの吊り下げ具である。
【０００７】
請求項２の考案は、前記横向き部材は可撓性であって、前記吊り下げ具本体の左右の一側に設けられ、前記吊り下げ具本体の左右の他側に前記横向き部材と接続可能な接続受け部材を備え、前記吊り下げ具本体は、第一の一側端を前記吊り下げ具本体の左右の一側に接続すると共に第一の他側端を自由端に形成し、前記接続受け部材は、第二の他側端を前記吊り下げ具本体の他側に接続すると共に第二の一側端側に前記第一の他側端を接続可能な連結具を設けたことを特徴とする請求項１記載の腰ベルトの吊り下げ具である。
【０００８】
請求項３の考案は、前記第二の一側端を前記吊り下げ具本体に接続すると共に、前記連結具を前記第二の一側端と前記第二の他側端との間に設けたことを特徴とする請求項２記載の腰ベルトの吊り下げ具である。
【０００９】
請求項４の考案は、前記吊り下げ具本体には、収納部が設けられ、この収納部の外側に前記横向き部材を設け、前記横向き部材を縦断面が扁平縦長なベルト部材によって形成することを特徴とする請求項３記載の腰ベルトの吊り下げ具である。
【００１０】
請求項５の考案は、前記連結具は、略矩形枠の両側に仕切り部を介して一側貫通部と他側貫通部を形成し、前記第二の一側端側を前記他側貫通部の裏側から前記仕切り部の表側を通して前記一側貫通部の裏側を通し、前記第一の他側端側を、前記第二の一側端側の表側に添わせて前記一側貫通部の裏側を通し、前記仕切り部の表側を通して前記他側貫通部の裏側を通すことを特徴とする請求項３又は４記載の腰ベルトの吊り下げ具である。
【考案の効果】
【００１１】
請求項１の考案によれば、横向き部材を着脱することで、ホルダー部を各種のものに交換でき、このホルダー部により所望の工具類を適時吊り下げ具本体に装着することができる。
【００１２】
請求項２の考案によれば、横向き部材は連結具を介して吊り下げ具本体側に簡単に接続することができる。
【００１３】
請求項３の考案によれば、連結具を両側支持することで、連結具、ひいてはホルダー部を安定良く保持することができる。
【００１４】
請求項４の考案によれば、収納部にも工具類を収納でき、しかもベルトからなる横向き部材を収納部側に添うように安定性良くホルダー部を吊り下げることができる。
【００１５】
請求項５の考案によれば、横向き部材を、接続受け部材、連結具を介して緊締でき、この結果、ホルダー部の第二の通し部が収納部側に押し付けられるようになり、ホルダー部をいっそう安定して吊り下げることができる。
【図面の簡単な説明】
【００１６】
【図１】本考案の第１実施例を示す斜視図である。
【図２】同ホルダー部を吊り下げた状態の斜視図である。
【図３】本考案の第２実施例を示す斜視図である。
【図４】本考案の第３実施例を示す斜視図である。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１、２は実施例１を示しており、吊り下げ具１は、上部に腰ベルト２の第一の通し部３を横向きに設けた吊り下げ具本体４と、その外側、すなわち作業者の腰と反対側に配置される工具５のホルダー部６の吊り下げ部７とから構成される。尚、ホルダー部６は工具５に代えてボルト、ナット、螺子軸、座金のような工具５によって取り付けられる部品のような工具類でもよい。
【００１９】
吊り下げ具本体４は、第一の上部開口部８を有する平面が略扁平箱形の第一の収納部９、さらにこの第一の収納部９の外側に配置され第二の上部開口部10を有する平面が略扁平箱形の第二の収納部11を有している。そして、第一の収納部９の後面部の上端を内側、すなわち腰側に折り返して第一の通し部３を形成している。
【００２０】
吊り下げ具本体４に吊り下げられるホルダー部６は、上部に後述する横向き部材12が貫通可能な第二の通し部13を横向きに設けると共に、この第二の通し部13の下部外側に第三の上部開口部14を有する平面略半円形の第三の収納部15が設けられており、第三の上部開口部14を通して工具５の下部が第三の収納部15に収納できるようになっている。
【００２１】
このホルダー部６の吊り下げ部７は、第二の収納部11の外側上部において、第二の通し部13を挿脱可能に貫通すると共に左右両側を第二の収納部11の外側の左右方向の一側に設けた可撓性の横向き部材12からなる。第二の収納部11の外側上部の左右方向の他側には、横向き部材12が接続可能な接続受け部材16が設けられている。これら横向き部材12、接続受け部材16は、それぞれ縦断面が扁平縦長な編物、皮革等可撓性材料からなるべルトによって形成されている。
【００２２】
横向き部材12はその第一の一側端17を第二の収納部11の一側縁に接続していると共に、第一の他側端18を自由端としている。また、接続受け部材16はその第二の一側端19を第二の収納部11の外側の左右方向の中央に接続すると共に第二の他側端20を第二の収納部11の他側縁に接続している。そして、接続受け部材16における第二の一側端19と第二の他側端20との間には、第一の他側端18を接続するための連結具21である金属製バックルが装着されている。この連結具21はバンドの留め金であって、略矩形枠22の両側に仕切り部23を介して一側貫通部24と他側貫通部25を形成したものである。
【００２３】
そして、この連結具21の下部には、工具５類に基端が接続されるワイヤーロープなどからなる落下防止用線状材26の先端を接続する接続受け部27が貫通孔によって形成されている。
【００２４】
次に前記構成についてその作用を説明する。予め接続受け部材16に連結具21を装着する。この装着は、接続受け部材16の左右方向の中央を仕切り部23の表側に配置すると共に、接続受け部材16の第二の一側端19寄り、第二の他側端20寄りを一側貫通部24、他側貫通部25の裏側に配置しておく。そして、第一の通し部３に腰ベルト２を通して腰に吊り下げ部７を吊り下げた状態で、所望の工具５を収納するホルダー部６を取り付ける。この取り付けは、まず自由端となっている第一の他側端18を、第二の通し部13に通した後、第一の他側端18を第二の一側端19の外側に添わせるように連結具21の一側にもぐらせてから一側貫通部24を介して仕切り部23の表側を通して第二の他側端20寄りに向かうように他側貫通部25に再びもぐらせ、さらに第二の他側端20を引っ張って、横向き部材12、接続受け部材16を、第一の一側端17と第二の他側端20との間で緊締させるものである。
【００２５】
この緊締状態にあっては、横向き部材12、接続受け部材16が第二の収納部11の外側で横一直線状となるので、ホルダー部６の第二の通し部13の裏側が第二の収納部11の外側に圧接するようになりホルダー部６を固定することができる。また、連結具21は第二の一側端19、第二の他側端20を第二の収納部11の外側に接続した両側支持状態なので、連結具21が片側支持状態の場合とは異なり垂れ下がるようなことはなく、緊締状態にあるバックルが吊り下げ部７に対して緩むようなことはない。
【００２６】
そして、ホルダー部６に工具５を差込み、収納するものである。この際、工具５に基端を接続した落下防止用線状材26の先端を連結具21に設けた接続受け部27に接続することで、工具５の落下を防止することができる。
【００２７】
さらに、吊り下げ部７に別の工具のホルダー部（図示せず）を装着するときは、横向き部材12を連結具21より抜き出し、そして再び横向き部材12の第一の一側端17を次のホルダー部の第二の通し部に通した後、連結具に挿入して横向き部材12、接続受け部材16を緊締させて固定し、そしてこのホルダー部に工具を差込み収納するものである。
【００２８】
以上のように、前記実施例においては、請求項１に対応して上部に腰ベルト２の第一の通し部３を横向きに設けた吊り下げ具本体４の外側に、工具５のホルダー部６を着脱自在に設け、ホルダー部６に設けられた横向きな第二の通し部13を挿通可能な横向き部材12の第一の一側端17を吊り下げ具本体４側に接続すると共に、第一の他側端18を吊り下げ具本体４側に接続受け部材16を介して着脱自在に接続したことにより、自由端である第一の他側端18を、吊り下げ具本体４側より外して、これを第二の通し部13に通して再び吊り下げ具本体４側となる接続受け部材16に接続することで、外側に設けられるホルダー部６を各種のものに交換でき、所望の工具５を適時吊り下げ具本体４に装着することができる。
【００２９】
また、前記実施例では請求項２に対応して、前記横向き部材12は可撓性であって、吊り下げ具本体４の左右の一側に設けられ、吊り下げ具本体４の左右の他側に接続受け部材16を備え、吊り下げ具本体４は、第一の一側端17を吊り下げ具本体４の左右の一側に接続すると共に第一の他側端18を自由端に形成し、接続受け部材16は、第二の他側端20を吊り下げ具本体４の他側に接続すると共に第二の一側端19側に前記第一の他側端18を接続可能な連結具21を設けたことによって、横向き部材12は連結具21を介して吊り下げ具本体４側に簡単に接続することができる。
【００３０】
また、前記実施例では請求項３に対応して、第二の一側端19を吊り下げ具本体４に接続すると共に、連結具21を第二の一側端19と第二の他側端20との間に設けたことにより、連結具21はその左右両側を吊り下げ具本体４側に接続されることで、連結具21の安定性を向上し、この結果連結具21を介して接続された横向き部材12、ひいてはホルダー部６を安定性よく保持することができる。
【００３１】
また、前記実施例では請求項４に対応して、吊り下げ具本体４には、第一の上部開口部８、第二の上部開口部10を有する第一の収納部９、第二の収納部11が設けられ、この第二の収納部11の外側に横向き部材12を設けることで、ホルダー部６に収納する工具５の他に、第一の収納部９、第二の収納部11に部品や他の工具などを一緒に携帯することができ、さらに、横向き部材12を扁平縦長なベルト部材によって形成することで、横向き部材12を第二の収納部11の外側に添うように設けられ、ホルダー部６の安定性を向上することができる。
【００３２】
しかも、前記実施例では請求項５に対応して、前記連結具21は、略矩形枠22の両側に仕切り部23を介して一側貫通部24と他側貫通部25を形成し、第二の一側端19側を他側貫通部25の裏側から前記仕切り部23の表側を通して一側貫通部24の裏側を通し、第一の他側端18側を、第二の一側端19側の表側に添わせて一側貫通部24の裏側を通し、仕切り部23の表側を通して他側貫通部25の裏側を通すことにより、横向き部材12を、接続受け部材16、連結具21を介して緊締でき、この結果、ホルダー部６の上部の第二の通し部13側が第二の収納部11側に押し付けられるようになり、第二の通し部13が横向き部材12に対して摺動しにくくなる。
【実施例２】
【００３３】
図３は実施例２を示しており、前記実施例１と同一部分には同一符号を付し、その詳細な説明を省略する。実施例２においては、連結具31を、ピン型のバックルとしたもので、矩形枠32にピン33を回動自在に設け、そして横向き部材12に形成した複数の差込み部34のいずれかに差し込んで固定できるようにしたものである。
【００３４】
このような実施例２においても、自由端である第一の他側端18を、吊り下げ具本体４側より外して、これをピン式のバックル型の連結具31を介して第二の通し部13に通して再び吊り下げ具本体４側となる接続受け部材16に接続することで、所望の工具５のホルダー部６を適時吊り下げ具本体４に装着することができる。
【産業上の利用可能性】
【００３５】
以上のように本考案にかかる腰ベルトの吊り下げ具は、各種の用途に適用できる。
【符号の説明】
【００３６】
１  吊り下げ具
２  腰ベルト
３  第一の通し部
４  吊り下げ具本体
５  工具
６  ホルダー部
９  第一の収納部
11  第二の収納部
12  横向き部材
13  第二の通し部
16  接続受け部材
17  第一の一側端
18  第一の他側端
19  第二の一側端
20  第二の他側端
21  連結具
22  略矩形枠
23  仕切り部
24  一側貫通部
25  他側貫通部
【図１】
0003157429.tif 000003
【図２】
0003157429.tif 000004
【図３】
0003157429.tif 000005
【図４】
0003157429.tif 000006